(57)【要約】【課題】ホコリやごみ等の侵入原因となる充電のための孔や、充電状態が一目で判別するための表示部を持っていない形式の、充電済み二次電池もしくは一次電池を収納して携帯するのに用いる、ＩＣメモリの収納室を一体にもつ新規のメモリカード収納部付き携帯用電池ケースを提供する。【解決手段】ホコリやごみ等の侵入原因となる充電のための孔や、充電状態が一目で判別するための表示部を持っていない、多数本の電池を収納する電池収納室を備えた携帯用電池ケース本体部と、電池収納室の底部の下に同電池収納室の底板の抜き外し操作およびその入れ戻し操作もしくはヒンジを介した開閉操作により開閉口できる構成とされたＩＣメモリ収納室と、電池収納室の一方側壁の内面に設けた、電池のプラス極が他方側壁による規制により嵌合した状態を維持して同電池の遊動を阻止するための凹状部と、を備えたものである。【選択図】　　　　図１
2004103537.tif 000002
【特許請求の範囲】
【請求項１】
ホコリやごみ等の侵入原因となる充電のための孔や、充電状態が一目で判別するための表示部を持っていない、多数本の電池を収納する電池収納室を備えた携帯用電池ケース本体部と、電池収納室の底面に一体に設けたＩＣメモリ収納室とから成ることを特徴とするメモリカード収納部付き携帯用電池ケース。
【請求項２】
多数本の電池を収納する開閉蓋付きの電池収納室を備えた携帯用電池ケースであって、電池収納室の底部の下に同電池収納室の底板の抜き外し操作およびその入れ戻し操作もしくはヒンジを介した開閉操作により開閉口できる構成とされたＩＣメモリ収納室をもつことを特徴とするメモリカード収納部付き携帯用電池ケース。
【請求項３】
電池収納室の一方側壁の内面に、電池のプラス極が他方側壁による規制により嵌合した状態を維持して同電池の遊動を阻止するための凹状部を設けたことを特徴とする請求項１または２記載のメモリカード収納部付き携帯用電池ケース。
【発明の詳細な説明】
【０００１】
【産業上の利用分野】
本発明は、ホコリやごみ等の侵入原因となる充電のための孔や、充電状態が一目で判別するための表示部を持っていない形式の、充電済み二次電池もしくは一次電池を収納して携帯するのに用いる、ＩＣメモリの収納室を一体にもつメモリカード収納部付き携帯用電池ケースに関するものである。
【０００２】
【従来技術】
充電済み二次電池もしくは一次電池を電源とするＩＣメモリ利用デジタルカメラ、ＭＰ３プレーヤ、携帯情報端末機、携帯型ゲーム器等の携帯用電子機器は、使い良さから広く普及している。しかしながら、この種のＩＣメモリ利用デジタルカメラ等携帯用電子機器は、比較的短い時間に電力不足の状態になったり、メモリ不足の状態になったりする不測の事態を惹起し易いという不都合を有している。
【０００３】
このような不都合があるために、たとえばＩＣメモリ利用デジタルカメラの使用者等は、シャッターチャンスを逸してしまった経験等も多いはずであり、またＩＣメモリでも電池ほどの回数ではないにしろ同様の経験をしているはずである。
【０００４】
そこで一般に、使用者は、上記ような経験を回避するために従前提供されている、電池のみを収納する形式の携帯用ケースや、ＩＣメモリのみを収納する形式の携帯用ケースを利用して、電池、ＩＣメモリを携帯している。
【０００５】
そして、電池、ＩＣメモリのどちらか一方もしくは両方を持ち忘れて上記の経験をしているのも現実である。
【０００６】
【発明が解決しようとする課題】
本発明は、上記の不本意な現実を解消するのに大いに役立つ新規のメモリカード収納部付き携帯用電池ケースを提供することを第１の目的とし、さらに携帯し易いように薄型小型化することを第２の目的とし、また持ち歩く際に耳障りな音を発したり、ＩＣメモリに傷を付けたりすることがないようにすることを第３の目的としているものである。
【０００７】
【課題を解決するための手段】
上記第１の目的を達成するために本発明に係るメモリカード収納部付き携帯用電池ケースは、ホコリやごみ等の侵入原因となる充電のための孔や、充電状態が一目で判別するための表示部を持っていない、多数本の電池を収納する電池収納室を備えた携帯用電池ケース本体部と、電池収納室の底面に一体に設けたＩＣメモリ収納室とから成るものである。
【０００８】
同じく、第２の目的を達成するために本発明に係るメモリカード収納部付き携帯用電池ケースは、多数本の電池を収納する開閉蓋付きの電池収納室を備えた携帯用電池ケースであって、電池収納室の底部の下に同電池収納室の底板の抜き外し操作およびその入れ戻し操作もしくはヒンジを介した開閉操作により開閉口できる構成とされたＩＣメモリ収納室を設けたものである。
【０００９】
また、第３の目的を達成するために本発明に係るメモリカード収納部付き携帯用電池ケースは、電池収納室の一方側壁の内面に、電池のプラス極が他方側壁による規制により嵌合した状態を維持して同電池の遊動を阻止するための凹状部を設けたものである。
【００１０】
【実施例】
図に示す実施例は、僅かの弾性をもつ硬質合成樹脂材料を以って角皿形状の携帯用ケース本体１を構成し、この携帯用ケース本体１の一方側壁２の開口縁に折り曲げ自在のヒンジ部３を介して携帯用ケース本体１用開閉蓋４を連設すると共に携帯用ケース本体１の他方側壁５の開口縁と開閉蓋４の遊端側縁に、当該開閉蓋４の閉止時に相互に係合して同開閉蓋４を閉止状態に維持する掛け外し自在の係止受側部６および係止掛側部７を設ける。
【００１１】
上記の携帯用ケース本体１は、ホコリやごみ等の侵入原因となる充電のための孔や、充電状態が一目で判別するための表示部を持っていない。
【００１２】
さらに、携帯用ケース本体１の底壁９における周縁より僅かに内側に位置する線上個所上にＩＣメモリ１１の外形寸法に見合うサイズとした四角形の凸壁１０を一体に突設して当該凸壁１０に囲繞されたＩＣメモリ１１の収納室１２を形成する。
【００１３】
また、携帯用ケース本体１とは別個に、上記と同じ材料を以って上面の中央線上個所に仕切り壁１３を一体に突設した仕切り板兼用の底板１４を構成し、この底板１４を上記四角形の凸壁１０の上に嵌め込み操作および抜き外し操作可能に載架して当該底板１４の上側に多数本の単３タイプの充電済み二次電池１５の収納室１６を形成する。
【００１４】
上記電池収納室１６の一方側壁２の内面に充電済み二次電池１５のプラス極１７が他方側壁５による規制（押し圧）により嵌合した状態を維持して同電池１５の遊動を阻止する凹状部１８を設ける。
【００１５】
なお、図中符号２０は吊り下げ環を示す。
【００１６】
本発明は、メモリ収納室１２をメモリーステック、スマートメディア、コンパクトフラッシュ、ＳＤメモリに合う形状およびサイズに構成して、持ち運びのときに遊動して音を出さないようにしたり、電池収納室底板１４の一端縁をヒンジで連結して開閉操作により開閉口できるようにしたり、することが可能である。
【００１７】
つまり、本発明は、上記説明した例に限定されないものであって、当業者であれば，特許請求の範囲に記載された技術的思想の範疇内において各種の変更例または修正例を想定し実施することができるものである。これ等の実施にも当然に本発明は及ぶものである。
【００１８】
【発明の効果】
請求項１に係るメモリカード収納部付き携帯用電池ケースは、ホコリやごみ等の侵入原因となる充電のための孔や、充電状態が一目で判別するための表示部を持っていない、多数本の電池を収納する電池収納室を備えた携帯用電池ケース本体部と、電池収納室の底面に一体に設けたＩＣメモリ収納室とから成るので、電池収納室に電池を入れ且つＩＣメモリ収納室にＩＣメモリを入れた状態でこれ等をいつも一緒に持ち歩くことを可能にするものであって、上記の不本意な現実の解消に大いに役立つ新規の携帯用電池ケースを提供するという所期の第１の目的の完全達成を可能とする著効を奏するものである。
【００１９】
請求項２に係るメモリカード収納部付き携帯用電池ケースは、多数本の電池を収納する開閉蓋付きの電池収納室を備えた携帯用電池ケースであって、電池収納室の底部の下に同電池収納室の底板の抜き外し操作およびその入れ戻し操作もしくはヒンジを介した開閉操作により開閉口できる構成とされたＩＣメモリ収納室を設けたものであるので、すなわち底板が電池収納室の底とＩＣメモリ収納室の蓋を兼ねる複数機能を果たす構成であって、薄型小型化して携帯し易くするという所期の第２の目的の完全達成を可能とする著効を奏するものである。
【００２０】
請求項３に係るメモリカード収納部付き携帯用電池ケースは、電池収納室の一方側壁の内面に、電池のプラス極が他方側壁による規制により嵌合した状態を維持して同電池の遊動を阻止するための凹状部を設けたもの電池収納室の一方側壁の内面に、電池のプラス極が他方側壁による規制により嵌合した状態を維持して同電池の遊動を阻止するための凹状部を設けたので、持ち歩く際に耳障りな音を発したり、ＩＣメモリに損傷与えたりすることがないようにするという所期の第３の目的の完全達成を可能とする著効を奏するものである。
【図面の簡単な説明】
【図１】本発明の一実施例を示す一部切截平面図である。
【図２】同じく一部切截側面図である。
【図３】同じく一部切截正面図である。
【図４】開蓋状態で示す平面図である。
【図５】開蓋状態で示す断面図である。
【図６】電池を抜いた状態を示す断面図である。
【図７】底板を抜いた状態を示す断面図である。
【図８】メモリーを抜いた状態を示す断面図である。
【符号の説明】
１　携帯用ケース本体
２　一方側壁
３　ヒンジ部
４　開閉蓋
５　他方側壁
６　係止受側部
７　係止掛側部
９　底壁
１０　凸壁
１１　ＩＣメモリ
１２　ＩＣメモリ収納室
１３　仕切り壁
１４　底板（仕切り板）
１５　電池
１６　電池収納室
１７　プラス極
１８　凹状部
２０　吊り下げ環
【図１】
2004103537.tif 000003
【図２】
2004103537.tif 000004
【図３】
2004103537.tif 000005
【図４】
2004103537.tif 000006
【図５】
2004103537.tif 000007
【図６】
2004103537.tif 000008
【図７】
2004103537.tif 000009
【図８】
2004103537.tif 000010